(57)【要約】【課題】反転型のラッチ及びプッシュプル式のハンドルを備えたラッチの操作装置であって、取り付けの自由度のあるラッチの操作装置を提供する。【解決手段】扉１の遊端側の端面１Ａから出退自在に突出すると共に、上下方向の軸心回りに回動可能なラッチ７と、このラッチ７の前記回動動作を規制する規制手段１５，２９，４２と、扉１に上下方向の軸心回りに回動自在に取り付けられて押し・引き操作可能なハンドル５Ａ，５Ｂとを備え、同一ハンドル５Ａ，５Ｂの押し操作、引き操作のいずれの操作でも前記規制手段１５，２９，４２によるラッチ７の回動規制を解除できるように構成する。【選択図】　　　図１
2004011223.tif 000002
【特許請求の範囲】
【請求項１】
扉の遊端側の端面から出退自在に突出すると共に、上下方向の軸心回りに回動可能なラッチと、このラッチの前記回動動作を規制する規制手段と、扉に上下方向の軸心回りに回動自在に取り付けられる押し・引き操作可能なハンドルとを備え、同一ハンドルの押し操作又は引き操作のいずれの操作でも前記規制手段によるラッチの回動規制を解除できるように構成されていることを特徴とするラッチの操作装置。
【請求項２】
ラッチの出退方向に移動自在なラッチ支持体に、ラッチを回動可能に支持し、規制手段が、ラッチに接当し且つラッチ支持体に対するラッチの退避方向の移動が規制されることでラッチの回動規制をすると共に、ラッチ支持体に対してラッチの出退方向に移動自在とされることでラッチの回動を許容する摺動子と、この摺動子がラッチに接当している状態でラッチ支持体に係合して摺動子のラッチ支持体に対するラッチ退避方向への移動を規制するラッチストッパとを備えていることを特徴とする請求項１に記載のラッチの操作装置。
【請求項３】
規制手段によるラッチの回動規制を解除するための錠操作体を備え、この錠操作体に第１被押圧部と第２被押圧部とを設け、ハンドルに、規制手段によるラッチの回動規制が解除されるように錠操作体を動作させるべく、ハンドルの引き操作によって前記第１被押圧部を押圧する第１押圧部と、ハンドルの押し操作によって前記第２被押圧部を押圧する第２押圧部を設けたことを特徴とする請求項１又は２に記載のラッチの操作装置。
【請求項４】
ラッチストッパのラッチ支持体に対する係合を解除する解除部材を備え、錠操作体に、第１又は第２押圧部が第１又は第２被押圧部を押圧した際に、ラッチストッパのラッチ支持体に対する係合を解除させるように解除部材を動作させるべく、解除部材に設けられた被押動部を押動する押動部を設けたことを特徴とする請求項３に記載のラッチの操作装置。
【請求項５】
ラッチストッパは、ラッチの出退方向に直交する方向に移動して係合部に対して係脱する係合片と、この係合片の移動方向に揺動して係合片を移動させる揺動片とを備えていることを特徴とする請求項２〜４のいずれかに記載のラッチの操作装置。
【請求項６】
同一ハンドルの押し操作又は引き操作の一方の操作が規制できるように構成されていることを特徴とする請求項１〜５のいずれかに記載のラッチの操作装置。
【発明の詳細な説明】
【０００１】
【発明の属する技術分野】
本発明は、室内ドア、玄関ドア等の扉に設けられるラッチの操作装置に関するものである。
【０００２】
【従来の技術】
従来、扉には、扉の遊端側の端面から出退自在に突出して、扉枠に設けた凹所に挿入されるラッチが設けられる。
また、扉に取り付けられるハンドルとして、扉開方向への引き操作又は押し操作によって、ラッチが退避方向に移動するようにしたプッシュプル式のハンドルがある。
このプッシュプル式のハンドルを取り付けた扉にあっては、ハンドルの引き操作又は押し操作によって、ラッチに扉枠の凹所の内面に押し付けられるような力が作用するので、操作性が悪いという問題があった。
【０００３】
そこで、プッシュプル式のハンドルを取り付けた扉の操作性を考慮したものとして、ラッチが上下方向の軸心回りに回動可能とされた反転型のラッチを備え、ハンドルの押し操作又は引き操作によって、ラッチの反転を規制する規制手段を解除してラッチを反転可能としたラッチの操作装置がある（特開平９−１１２０９８号公報参照）。
【０００４】
【発明が解決しようとする課題】
前記従来のラッチの操作装置にあっては、扉開方向側に取り付けられるハンドルの引き操作のみによってラッチを反転可能とし、扉閉方向側に取り付けられるハンドルの押し動作のみによってラッチを反転可能としたものであったので、扉閉方向側及び扉閉方向側に関して取り付けの自由度がないものであった。
本発明は、前記問題点に鑑みて、反転型のラッチ及びプッシュプル式のハンドルを備えたラッチの操作装置であって、取り付けの自由のあるラッチの操作装置を提供することを目的とする。
【０００５】
【課題を解決するための手段】
本発明が技術的課題を解決するために講じた技術的手段は、扉の遊端側の端面から出退自在に突出すると共に、上下方向の軸心回りに回動可能なラッチと、このラッチの前記回動動作を規制する規制手段と、扉に上下方向の軸心回りに回動自在に取り付けられる押し・引き操作可能なハンドルとを備え、同一ハンドルの押し操作又は引き操作のいずれの操作でも前記規制手段によるラッチの回動規制を解除できるように構成されていることを特徴とする。
【０００６】
また、ラッチの出退方向に移動自在なラッチ支持体に、ラッチを回動可能に支持し、規制手段が、ラッチに接当し且つラッチ支持体に対するラッチの退避方向の移動が規制されることでラッチの回動規制をすると共に、ラッチ支持体に対してラッチの出退方向に移動自在とされることでラッチの回動を許容する摺動子と、この摺動子がラッチに接当している状態でラッチ支持体に係合して摺動子のラッチ支持体に対するラッチ退避方向への移動を規制するラッチストッパとから構成することができる。
【０００７】
また、規制手段によるラッチの回動規制を解除するための錠操作体を備え、この錠操作体に第１被押圧部と第２被押圧部とを設け、ハンドルに、規制手段によるラッチの回動規制が解除されるように錠操作体を動作させるべく、ハンドルの引き操作によって前記第１被押圧部を押圧する第１押圧部と、ハンドルの押し操作によって前記第２被押圧部を押圧する第２押圧部を設けるのがよい。
また、ラッチストッパのラッチ支持体に対する係合を解除する解除部材を備え、錠操作体に、第１又は第２押圧部が第１又は第２被押圧部を押圧した際に、ラッチストッパのラッチ支持体に対する係合を解除させるように解除部材を動作させるべく、解除部材に設けられた被押動部を押動する押動部を設けるのがよい。
【０００８】
また、ラッチストッパは、ラッチの出退方向に直交する方向に移動して係合部に対して係脱する係合片と、この係合片の移動方向に揺動して係合片を移動させる揺動片とを備えているのがよい。
また、同一ハンドルの押し操作又は引き操作の一方の操作が規制できるように構成されているのがよい。
【０００９】
【発明の実施の形態】
以下、本発明の実施の形態を図面を参照して説明する。
図３において、１は扉であり、図面では、扉開方向側Ａからみて、扉１の右側がヒンジ２によって扉枠３に取り付けられている場合について例示している。
図１及び図４に示すように、扉１の左側（遊端側）には、ラッチ錠４と、扉開方向側Ａに配置されたハンドル５Ａと、扉閉方向側Ｂに配置されたハンドル５Ｂとが設けられている。
【００１０】
ラッチ錠４は、図１、図２及び図６に示すように、扉１の遊端側の端面１Ａ（扉枠３の左側の縦框３Ａに対向する端面）から縦框３Ａに向けて出退自在に突出して、該縦框３Ａに形成した係合凹部６に挿入されるラッチ７を有する。
なお、以下の説明において、ラッチ錠４、ハンドル５Ａ，５Ｂ及びこれらの間の機構に関しては、ラッチ７の突出方向Ｃを前方、ラッチ７の退避方向Ｄ（突出方向Ｃとは反対方向）を後方ともいい、ラッチ７の突出方向Ｃ側を前面又は正面、退避方向Ｄ側を後面又は背面という。また、ラッチ７の突出方向Ｃ及び上下方向に直交する方向を左右方向Ｆという。
【００１１】
前記ラッチ錠４は、錠ケース８を有し、この錠ケース８のケース本体９は、扉１の遊端側の端面１Ａから該扉１に凹設状に形成された収納凹部６に収納されており、錠ケース８の前壁１０は、該前壁１０の前面側に重ね合わされて配置されたフロントカバー１１と共に、ネジによって扉１の端面１Ａに固定されている。錠ケース８の前壁１０及びフロントカバー１１には、これらをラッチ７の出退方向に貫通する開口部１２が形成され、この開口部１２を介してラッチ７が錠ケース８から出退自在とされている。
【００１２】
錠ケース８内の前部には、前方開口状のラッチケース１３が、錠ケース８に対して移動不能に固定されて設けられており、このラッチケース１３の前面の開口部１３Ａは前記開口部１２に連通している。
ラッチケース１３の前部には、ラッチ７が、前面開口部１３Ａから出退自在に設けられている。
ラッチ７の、扉開方向側Ａの面７Ａは、前後方向Ｅ（ラッチ７の出退方向）に沿う平坦面とされ、扉閉方向側Ｂの面７Ｂは、前方Ｃに向かうに従って扉開方向側Ａに移行する傾斜面とされている。
【００１３】
また、ラッチ７は、後述する付勢部材（バネ）２０によって突出方向Ｃに付勢されており、扉１を閉める際にあっては、ラッチ７の傾斜面７Ｂが縦框３Ａ側の受け板等に接当することで、ラッチ７が付勢部材２０の付勢力に抗して退避方向Ｄに押し戻され、ラッチ７が縦框３Ａ側に設けた係合凹部６に対向する位置にきたときに、付勢部材２０の付勢力によって、ラッチ７が突出して係合凹部６に挿入するように構成されている。
また、ラッチケース１３内のラッチ７の後方Ｄ側には、ラッチ支持体１４と、摺動子１５とが収納されている。
【００１４】
ラッチ支持体１４は、ラッチケース１３の扉開方向Ａ側の側壁１６（これを一側壁という）に沿って前後移動自在に設けられ、前部に上下一対の支軸部１７が設けられ、この支軸部１７間に、上下方向の軸心を有する支軸１８を介して、ラッチ７の後部の扉開方向側Ａが枢支連結されていて、ラッチ７が支軸１８の軸心回りに回動可能（首振り可能）とされている（図２仮想線参照）と共に、ラッチ７とラッチ支持体１４とが一体的に前後方向Ｅに移動自在とされている。
また、ラッチ支持体１４の背面と、ラッチケース１３の後壁１９との間には、圧縮コイルバネ等からなる付勢部材２０が介装され、この付勢部材２０の付勢力により、ラッチ支持体１４及びラッチ７が、前方Ｃに付勢されている。
【００１５】
また、ラッチ支持体１４には、図２に示すように、ラッチケース１３の一側壁１６に形成された前後方向Ｅに長いガイド溝２１に前後方向Ｅ移動自在に係合する係合部２２が形成されていて、この係合部２２がガイド溝２１の前端に接当することにより、ラッチ支持体１４の前方Ｃ移動が規制され、これにより、ラッチ７の開口部１２からの抜脱が阻止されるように構成されている。
また、ラッチ支持体１４の後部には、扉閉方向側Ｂに突出する上下一対の規制壁２３が設けられ、この上下規制壁２３間に、前記摺動子１５が前後方向Ｅ移動可能に配置されている。
【００１６】
この摺動子１５の前端側は、ラッチ７の背面側で且つ扉閉方向側Ｂに係合しており（図例では、ラッチ７の背面側で且つ扉閉方向側Ｂに形成された凹部２４内に挿入状とされている）、図２に示す状態で、摺動子１５の後方Ｄ移動が規制されれば、ラッチ７の支軸１８回りの回動が規制され、摺動子１５の後方Ｄ移動が許容されれば、ラッチ７の支軸１８回りの回動が許容されるようになっている。また、ラッチケース１３の後壁１９には、切欠き部２５が形成され、摺動子１５の後端は、この切欠き部２５に至るように形成され、摺動子１５が後方Ｄ移動すると、切欠き部２５から後方に突出して、その移動が許容されるようになっている。
【００１７】
また、摺動子１５には、ラッチ支持体１４の後部の上下方向中途部（中央部）に形成された後方開放状の溝部２６に前後方向Ｅ移動自在に嵌合するバネ受部２７が設けられ、このバネ受部２７と、ラッチケース１３の後壁１９との間には、圧縮コイルバネ等からなる付勢部材２８が介装され、この付勢部材２８の付勢力によって、摺動子１５が前方Ｃに付勢されている。
また、バネ受部２７がラッチ支持体１４の溝部２６の前端に接当することにより、摺動子１５の前方Ｃ移動が規制され、この状態で、摺動子１５の前端側がラッチ７の凹部２４に挿入状とされており、この状態において、摺動子１５の後方Ｄ移動が規制されれば、ラッチ７の首振りが規制されるようになっている。
【００１８】
図２、図６及び図７に示すように、摺動子１５の扉閉方向側Ｂには、該摺動子１５の後方Ｄ移動を規制してラッチ７の首振りを規制するラッチストッパ２９が設けられている。
このラッチストッパ２９は、係合片３０と揺動片３１とから主構成されている。
摺動子１５の前部には、上方及び扉閉方向側Ｂに開放状のガイド溝３２が形成され、このガイド溝３２にラッチストッパ２９の係合片３０が上下方向移動自在に挿入されている。
【００１９】
ラッチストッパ２９の揺動片３１は、その長手方向の中途部が、摺動子１５の前後方向Ｅ中途部に、ストッパ支軸３３を介して左右方向Ｆの軸心廻りに回動自在に枢支連結されていて上下揺動自在とされている。
また、揺動片３１の前部３１ａは、係合片３０の扉閉方向側Ｂの側面に重ね合わされると共に、その前部３１ａには、左右方向Ｆの軸心を有する係合軸３４が設けられ、この係合軸３４は、係合片３０に形成された前後方向に長い挿通孔３５を挿通しており、揺動片３１のストッパ支軸３３中心の揺動に連動して、係合片３０が上下移動するように構成されている。
【００２０】
また、摺動子１５の後部には、圧縮コイルバネ等の付勢部材３６を収納するバネ収納部３７が形成されている。
このバネ収納部３７は、下方及び扉閉方向側Ｂに開放状に形成されており、このバネ収納部３７の下面開口端には、揺動片３１から延設されたバネ受片３８が位置しており、このバネ受片３８とバネ収納部３７の上部側の面との間に介装された付勢部材３６の付勢力によって、揺動片３１の後部が下方に付勢されている。
【００２１】
また、揺動片３１の前部３１ａは、ラッチ支持体１４の上下規制壁２３間から上方に突出していると共に、係合片３０がガイド溝３２から上方に突出しており、該係合片３０が、ラッチ支持体１４の上側の規制壁２３の前面側に係合（接当）している。
この規制壁２３の、係合片３０が接当する部分が係合部３９とされており、係合片３０が係合部３９に係合することにより、摺動子１５のラッチ支持体１４に対する後方Ｄ移動が規制され、そして、摺動子１５のラッチ支持体１４に対する後方Ｄ移動が規制されることにより、前述したように、ラッチ７の首振りが規制される。
【００２２】
また、この状態においては、ラッチ７が前後方向Ｅに移動すると、ラッチ支持体１４、摺動子１５及びラッチストッパ２９が一体的に前後移動する。
なお、揺動片３１の前部３１ａを係合片３０と共に係合部３９に係合させるようにしてもよいし、揺動片３１の前部３１ａのみを係合部３９に係合させるようにしてもよい。
また、ラッチストッパ２９の揺動片３１の後部は、ラッチケース１３の後壁１９の切欠き部２５から後方に突出しており、この突出部分には、ガイド部材４０が取付固定されている。
【００２３】
このガイド部材４０の下面側には、ガイド面４１が形成されており、このガイド面４１の前部４１ａは後方に向かうに従って下方に移行する傾斜状に形成され、後部４１ｂは、揺動片３１の長手方向に沿う略直線状に形成されている。
なお、ガイド面４１は揺動片３１に一体形成されていてもよい。
前記摺動子１５及びラッチストッパ２９等によって、ラッチ７の回動動作を規制する規制手段が構成されている。
錠ケース８の後部側で、且つラッチケース１３の後方側には、解除部材４２が前後方向Ｅ移動自在に収納されている。
【００２４】
この解除部材４２の扉閉方向側Ｂには、前後及び扉閉方向側Ｂに開放状とされていて、ラッチストッパ２９の揺動片３１の後部及びガイド部材４０を収容する収容部４３が形成されており、揺動片３１の後部及びガイド部材４０は、この収容部４３内をストッパ支軸３３回りに揺動可能で且つ前後移動可能とされている。
また、解除部材４２の後面と、錠ケース８の後壁８Ａとの間には、上下一対の圧縮コイルバネ等からなる付勢部材４４が介装されており、この付勢部材４４の付勢力によって、解除部材４２が前方Ｃに付勢されている。
【００２５】
また、解除部材４２前部には、ガイド部材４０のガイド面４１に接当する接当部４５が設けられている。
この解除部材４２が付勢部材４４の付勢力に抗して後方Ｄ移動すると、接当部４５がガイド面４１を前部から後方Ｄに向けて接当し且つ押圧しながら移動する（摺動）するので、図９に示すように、揺動片３１の後部が上方に揺動すると共に、揺動片３１の前部３１ａが下方に揺動することで係合軸３４を介して係合片３０が下方に引かれて、揺動片３１の前部３１ａ及び係合片３０が、係合部３９の前方から下方に外れ、これによって、摺動子１５のラッチ支持体１４に対する後方Ｄ移動が許容されて、ラッチ７の首振りが可能となる。
【００２６】
また、解除部材４２の後部には、上下一対の被押動部４６が上下方向突出状に設けられている。
なお、解除部材４２は、後述する錠操作レバー４９（錠操作体）によって上下の被押動部４６の一方側が後方Ｄに押圧されても傾かないように、錠ケース８に形成されたガイド溝に前後方向移動自在にガイドされている。
図１、図４及び図５に示すように、扉１の扉開方向側Ａ及び扉閉方向側Ｂには、それぞれ固定座４７が取り付けられ、この固定座４７にレバーベース４８が取付固定され、このレバーベース４８に、解除部材４２を操作する錠操作レバー４９及びハンドル５Ａ，５Ｂが取り付けられている。
【００２７】
固定座４７は、上下方向に長い小判形に形成され、一方の固定座４７と他方の固定座４７とで扉１を挟み込むと共に、両者を相互にネジ等によって締結することによって、両固定座４７が扉１に取付固定されている。
固定座４７の下部には、左右方向Ｆ両側に開放状の開孔４７Ａが形成されている。
前記レバーベース４８は、固定座４７の開孔４７Ａを塞ぐように配置されて固定座４７の左右方向Ｆ内側にネジ等によって固定され且つ扉１に接当する基壁５２と、この基壁５２から左右方向Ｆ外方に延出する上下一対の支持壁５３とを備えている。
【００２８】
支持壁５３の左右方向Ｆ内方側には、上下方向の軸心を有するレバー支軸５４が設けられ、支持壁５３の左右方向Ｆ外方側には、上下方向の軸心を有するアーム支軸５５が設けられている。
レバー支軸５４には、錠操作レバー４９が軸心回りに回動自在に枢支されている。
錠操作レバー４９は、レバー支軸５４に外嵌されたスペーサ５６によって上下方向Ｆの位置決めがなされている。
【００２９】
錠操作レバー４９は、回動中心から左右方向Ｆ内方側に延出する押動部５７と、回動中心から前方Ｃ側に延出する第１被押圧部５８と、回動中心から左右方向Ｆ外方側に延出する第２被押圧部５９とを備えている。
押動部５７は、レバーベース４８の基壁５２、扉１及び錠ケース８の側壁８Ｂを貫通して、前記解除部材４２の被押動部４６の前方に至っている。
また、左右のレバーベース４８の基壁５２、扉１及び錠ケース８の左右の側壁８Ｂに形成された、押動部５７を挿通する挿通孔６０，６１，６２は、押動部５７のレバー支軸５４回りの所定範囲の揺動を許容するように前後方向Ｅに長い長孔に形成されている。
【００３０】
また、錠ケース８の左右各側壁８Ｂに形成された挿通孔６２は、それぞれ上下一対形成されていて、図１において、ラッチ７の傾斜面７Ｂが下を向くようにラッチ錠４を取り付けても取り付けられるように構成されている。
なお、左右のレバーベース４８の基壁５２に形成された、押動部５７を挿通する挿通孔６０も上下一対形成されている。
また、錠操作レバー４９は、一対のハンドル５Ａ，５Ｂの内、一方のハンドル５Ａ，５Ｂに取り付けられる錠操作レバー４９の押動部５７が、解除部材４２の上下一方の被押動部４６の前方側に位置し、他方のハンドル５Ａ，５Ｂに取り付けられる錠操作レバー４９の押動部５７が、解除部材４２の上下他方の被押動部４６の前方側に位置するように取り付けられる。
【００３１】
図例では、扉開方向側Ａに取り付けられた錠操作レバー４９の押動部５７が、解除部材４２の下側の被押動部４６の前方側に位置し、扉閉方向側Ｂに取り付けられた錠操作レバー４９の押動部５７が、解除部材４２の上側の被押動部４６の前方側に位置しているが、逆であってもよい。
また、レバー支軸５４には、前記スペーサ５６とで錠操作レバー４９を挟むように配置されたねじりコイルバネ等からなる付勢部材６３が套嵌され、この付勢部材６３の一端側は、第２被押圧部５９の前側に掛合しており、他端側は、レバーベース４８の基壁５２に接当しており、この付勢部材６３は、押動部５７が前方Ｃ揺動する方向に、錠操作レバー４９を付勢している。
【００３２】
ハンドル５Ａ，５Ｂは、レバーベース４８のアーム支軸５５に軸心回りに回動自在（揺動自在）に取り付けられたハンドルアーム５０と、このハンドルアーム５０に取り付けられた把手５１とを備えて構成されている。
ハンドルアーム５０の基部６７には、レバーベース４８の支持壁５３及び錠操作レバー４９の第２被押圧部５９等を収容するように（覆うように）、左右方向Ｆ内端側から左右方向Ｆ外方側に向けて凹設された凹部６４が形成されている。この凹部６４内には、プッシュ板６５がネジ等によって取付固定されており、このプッシュ板６５には、上下一対の支持壁６６が設けられ、この上下の支持壁６６がアーム支軸５５に軸心回りに回動自在に支持されており、これによって、アーム支軸５５にハンドルアーム５０が上下方向の軸心回りに回動自在に支持されている。
【００３３】
また、ハンドルアーム５０には、基部６７から後方側に延出されたアーム部６８が設けられており、このアーム部６８の後端側に把手５１が取付固定されている。
ハンドルアーム５０の基部６７の前壁部６７ａの左右方向Ｆ内端側は、錠操作レバー４９の第１被押圧部５８の左右方向Ｆ外側に接当しており、この接当部分が第１押圧部６９とされている。
また、プッシュ板６５には、錠操作レバー４９の第２被押圧部５９の背面側に接当する第２押圧部７０が設けられている。
【００３４】
この第２押圧部７０は、上下一対設けられていて、錠操作レバー４９が上下どちらに付けられてもよいようになっており、部品の共通化が図られている。
錠操作レバー４９は、図１等に示すように、移動範囲の前端位置にある解除部材４２の被押動部４６の前側に押動部５７が位置する状態で、第１，２押圧部６９，７０等に接当していて、錠操作レバー４９のレバー支軸５４回りの回動が規制されている。
この状態において、把手５１を引くと（ハンドルアーム５０を図８の矢示Ｈ方向にアーム支軸５５回りに回動させると）、第１押圧部６９が第１被押圧部５８を押圧して、付勢部材６３の付勢力に抗して、押動部５７が後方Ｄに揺動するように錠操作レバー４９を回動させる。
【００３５】
また、把手５１を押すと（ハンドルアーム５０を図８の矢示Ｊ方向にアーム支軸５５回りに回動させると）、第２押圧部７０が第２被押圧部５９を押圧して、付勢部材６３の付勢力に抗して、押動部５７が後方Ｄに揺動するように錠操作レバー４９を回動させる。
そして、押動部５７が後方Ｄに揺動すると、図８に仮想線で示し、図９に実線で示すように、解除部材４２が後方Ｄに引かれ、前述したように、ラッチ７の首振りが許容される。
【００３６】
本実施の形態のラッチの操作装置にあっては、ハンドル５Ａ，５Ｂを引いても、押しても、錠操作レバー４９が操作されて、解除部材４２が操作され、ラッチ７の首振りが許容されるようになっている。
なお、ハンドル５Ａ，５Ｂを扉１に取り付けた後は、扉開方向側Ａのハンドル５Ａの押し操作による回動、及び、扉閉方向側Ｂのハンドル５Ｂの引き操作による回動は不要であるので、扉開方向側Ａに配置されるハンドル５Ａの押し操作による回動を規制でき、扉閉方向側Ｂに配置されるハンドル５Ｂの引き操作による回動を規制できるように構成してもよい（例えば、固定座４７に、外側から内側にネジをねじ込み可能とし、このネジの先端部をハンドルアーム５０の基部６７の前壁又は後壁の左右方向Ｆ内端側に当てることにより、ハンドル５Ａ，５Ｂの引き操作又は押し操作ができないようにする）。
【００３７】
本実施の形態にあっては、プッシュプル式のハンドル５Ａ，５Ｂを、扉開方向側Ａ又は扉閉方向側Ｂのいずれにも使用できる。
また、図３において、扉１の左側がヒンジ２によって扉枠３に取り付けられる場合にあっては、扉１の手前側のハンドル５Ａを、扉１の向こう側に取り付け、扉１の向こう側のハンドル５Ｂを扉１の手前側に取り付ければよく、プッシュプル式のハンドル５Ａ，５Ｂを扉１の左右いずれにも取り付けることができ、至便である。
【００３８】
【発明の効果】
本発明によれば、扉の遊端側の端面から出退自在に突出すると共に、上下方向の軸心回りに回動可能なラッチと、このラッチの前記回動動作を規制する規制手段と、扉に上下方向の軸心回りに回動自在に取り付けられる押し・引き操作可能なハンドルとを備え、同一ハンドルの押し操作又は引き操作のいずれの操作でも前記規制手段によるラッチの回動規制を解除できるように構成したことにより、取付の自由度のあるラッチの操作装置を提供することができる。
【図面の簡単な説明】
【図１】図３のＧ−Ｇ線矢示断面図である。
【図２】ラッチ錠の平面断面図である。
【図３】ドアの正面図である。
【図４】ドアの側面図である。
【図５】ハンドルの断面図である。
【図６】ラッチ錠の側面図である。
【図７】摺動子及びラッチストッパの拡大側面図である。
【図８】ハンドルの取り付け部分の拡大平面図である。
【図９】ラッチの首振りが許容された状態を示すラッチ錠の側面図である。
【符号の説明】
１　　扉
１Ａ　端面
５Ａ　ハンドル
５Ｂ　ハンドル
７　　ラッチ
１４　　ラッチ支持体
１５　　摺動子
２９　　ラッチストッパ
３０　　係合片
３１　　揺動片
４２　　解除部材
４９　　錠操作レバー（錠操作体）
４６　　被押動部
５７　　押動部
５８　　第１被押圧部
５９　　第２被押圧部
６９　　第１押圧部
７０　　第２押圧部
Ｃ　　突出方向
Ｄ　　退避方向
Ｅ　　出退方向
【図１】
2004011223.tif 000003
【図２】
2004011223.tif 000004
【図３】
2004011223.tif 000005
【図４】
2004011223.tif 000006
【図５】
2004011223.tif 000007
【図６】
2004011223.tif 000008
【図７】
2004011223.tif 000009
【図８】
2004011223.tif 000010
【図９】
2004011223.tif 000011